(57)【要約】【課題】映像及び音声からなる映像・音声コンテンツ再生時に、視聴者の趣味・嗜好にあった楽曲をＢＧＭとして使用することができる楽曲選択型コンテンツ再生装置を提供する課題とする。【解決手段】映像・音声コンテンツと、その映像・音声コンテンツに連動して再生される楽曲を選択するための選択情報及び前記楽曲の再生時刻情報を含む制御情報と、を含んだ楽曲選択型コンテンツを再生する楽曲選択型コンテンツ再生装置１００であって、前記選択情報に基づいて、複数の前記楽曲を蓄積した楽曲蓄積手段２００から、前記映像・音声コンテンツに連動する楽曲を選択する楽曲選択手段１０１２と、前記映像・音声コンテンツを復号して映像信号及び音声信号とする映像・音声コンテンツ復号手段１１０と、前記再生時刻情報に基づいて、前記楽曲選択手段で選択した前記楽曲を復号して、前記音声信号と合成する音声合成手段１１２とを備えるものである。【選択図】　　　　図２
2004029324.tif 000002
【特許請求の範囲】
【請求項１】
映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生する楽曲選択型コンテンツ再生装置であって、
前記選択情報に基づいて、複数の前記楽曲を蓄積した楽曲蓄積手段から、前記映像・音声コンテンツに連動する楽曲を選択する楽曲選択手段と、
前記映像・音声コンテンツを復号して映像信号及び音声信号とする映像・音声コンテンツ復号手段と、
前記再生時刻情報に基づいて、前記楽曲選択手段で選択した前記楽曲を復号して、前記音声信号と合成する音声合成手段と、
備えていることを特徴とする楽曲選択型コンテンツ再生装置。
【請求項２】
視聴者の楽曲の嗜好情報を記述した個人プロファイルを記憶する個人プロファイル記憶手段を備え、
前記楽曲選択手段が、前記選択情報及び前記嗜好情報に基づいて前記楽曲を選択することを特徴とする請求項１に記載の楽曲選択型コンテンツ再生装置。
【請求項３】
視聴者の視聴履歴を記憶する視聴履歴記憶手段と、
この視聴履歴記憶手段に記憶された視聴履歴に基づいて、前記個人プロファイルを更新する個人プロファイル更新手段と、
を備えていることを特徴とする請求項２に記載の楽曲選択型コンテンツ再生装置。
【請求項４】
前記楽曲を提供する楽曲提供サーバから、通信回線を介して前記楽曲と、その楽曲の少なくとも固有の識別番号を有する楽曲情報とを受信して、前記楽曲蓄積手段に蓄積する楽曲受信制御手段、
を備えていることを特徴とする請求項１乃至請求項３のいずれか１項に記載の楽曲選択コンテンツ再生装置。
【請求項５】
前記楽曲提供サーバから提供される前記楽曲情報には、前記楽曲を利用可能な有効期間を含んでおり、
前記有効期間の時間経過を判定し、その有効期間を経過した楽曲の再生を禁止する有効期間判定手段、
を備えていることを特徴とする請求項４に記載の楽曲選択型コンテンツ再生装置。
【請求項６】
前記選択情報及び前記楽曲情報は、楽曲の雰囲気や曲調を言語表現した曲調情報を含んでおり、
前記楽曲選択手段が、前記曲調情報に基づいて、前記楽曲を選択することを特徴とする請求項４又は請求項５に記載の楽曲選択型コンテンツ再生装置。
【請求項７】
映像及び音声を含んだ映像・音声コンテンツと、その映像・音声コンテンツに連動して再生される楽曲を選択するための選択情報及び前記楽曲の再生時刻情報を含む制御情報と、複数の楽曲と、を含んだ楽曲選択型コンテンツを再生する楽曲選択型コンテンツ再生装置であって、
前記楽曲選択型コンテンツに含まれる前記選択情報に基づいて、前記映像・音声コンテンツに連動する前記楽曲を選択する楽曲選択手段と、
前記映像・音声コンテンツを復号して映像信号及び音声信号とする映像・音声コンテンツ復号手段と、
前記楽曲選択型コンテンツに含まれる前記再生時刻情報に基づいて、前記楽曲選択手段で選択した前記楽曲を復号して、前記音声信号と合成する音声合成手段と、
を備えていることを特徴とする楽曲選択型コンテンツ再生装置。
【請求項８】
映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生する楽曲選択型コンテンツ再生方法であって、
前記映像・音声コンテンツを復号して映像信号及び音声信号とする映像・音声コンテンツ復号ステップと、
視聴者の楽曲の嗜好情報を記述した個人プロファイルに記述された前記嗜好情報と、前記選択情報とに基づいて、複数の楽曲を蓄積した楽曲蓄積手段から視聴者の好みにあった楽曲を選択する楽曲選択ステップと、
前記再生時刻情報に基づいて、前記楽曲選択ステップで選択された前記楽曲を復号して、前記映像・音声コンテンツ再生ステップで復号された前記音声信号と合成する音声合成ステップと、
を含んでいることを特徴とする楽曲選択型コンテンツ再生方法。
【請求項９】
映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生するために、コンピュータを、
視聴者の楽曲の嗜好情報を記述した個人プロファイルに記述された前記嗜好情報と、前記選択情報とに基づいて、複数の楽曲を蓄積した楽曲蓄積手段から視聴者の好みにあった楽曲を選択する楽曲選択手段、
前記映像・音声コンテンツを復号して映像信号及び音声信号とする映像・音声コンテンツ復号手段、
前記再生時刻情報に基づいて、前記楽曲選択手段で選択された前記楽曲を復号して、前記映像・音声コンテンツ再生手段で再生された前記音声信号と合成する音声合成手段、
として機能させることを特徴とする楽曲選択型コンテンツ再生プログラム。
【請求項１０】
映像及び音声を含んだ映像・音声コンテンツに、その映像・音声コンテンツに連動して再生される楽曲を選択するための選択情報と、前記楽曲の再生時刻情報とを付加することを特徴とする楽曲選択型コンテンツ生成方法。
【発明の詳細な説明】
【０００１】
【発明の属する技術分野】
本発明は、映像・音声コンテンツの再生時に、視聴者の嗜好にあった楽曲を選択してＢＧＭ（ＢａｃｋＧｒｏｕｎｄ　Ｍｕｓｉｃ）として再生する楽曲選択型コンテンツ再生装置、その方法及びそのプログラム、並びに楽曲選択型コンテンツ生成方法に関する。
【０００２】
【従来の技術】
従来、テレビ番組や映画などの映像・音声コンテンツに付与されるＢＧＭは、映像・音声コンテンツのコンテンツ制作者によって、予め台詞などのメインの音声データと合成されて一つの音声データストリームとして生成されていた。
また、個々に独立して記録された音声データを適当なタイミングで再生して、その再生された音声データをリアルタイムでメインの音声データと合成して、一つの音声データストリームとして生成する技術が存在する。
さらに、データに関する情報であるメタデータを利用することによって、映像・音声コンテンツを視聴者の個人プロファイルに合わせて再編成して視聴者に提供する技術が種々存在する。例えば、個人プロファイルに基づいて、映像と音声とが結合した状態である映像・音声コンテンツを、時間的に分割した個々の断片を時間軸上で並べ替えたり、その分割した個々の断片と、テキストデータや画像データ等を画面上に再配置する技術が存在する。
【０００３】
【発明が解決しようとする課題】
しかし、前記従来の技術では、コンテンツ制作者側で、ＢＧＭが台詞などのメインの音声データと合成されて一つの音声データストリームとして生成されているため、視聴者側でメインの音声とＢＧＭとに分離することができなった。このため、視聴者はＢＧＭとしてコンテンツ制作者が選曲した楽曲以外を選択する手段はなく、視聴者の嗜好に合わない楽曲であっても、受動的に視聴しなければならないという問題があった。
また、コンテンツ制作者側においても、コンテンツ制作者がＢＧＭを趣味・嗜好の異なる視聴者を対象に複数選択しても、最終的には一つだけを使用しなければならないという問題があった。
【０００４】
本発明は、以上のような問題点に鑑みてなされたものであり、映像及び音声からなる映像・音声コンテンツ再生時に、視聴者の趣味・嗜好にあった楽曲をＢＧＭとして使用することができる楽曲選択型コンテンツを再生する楽曲選択型コンテンツ再生装置、その方法及びそのプログラムを提供することを目的とする。
さらに、その楽曲選択型コンテンツを生成する楽曲選択型コンテンツ生成方法を提供することを目的とする。
【０００５】
【課題を解決するための手段】
前記目的を達成するため、本発明にかかる楽曲選択型コンテンツ再生装置は、映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生する楽曲選択型コンテンツ再生装置であって、前記選択情報に基づいて、複数の前記楽曲を蓄積した楽曲蓄積手段から、前記映像・音声コンテンツに連動する楽曲を選択する楽曲選択手段と、前記映像・音声コンテンツを復号して映像信号及び音声信号とする映像・音声コンテンツ復号手段と、前記再生時刻情報に基づいて、前記楽曲選択手段で選択した前記楽曲を復号して、前記音声信号と合成する音声合成手段と、を備ることとした。
【０００６】
この楽曲選択型コンテンツ再生装置によれば、映像・音声コンテンツに連動する楽曲を選択して、映像・音声コンテンツと共に再生時刻情報にあわせて復号し再生することができ、視聴者の好みの楽曲をＢＧＭとしてメインの音声と合成し、映像と共に再生することができる。
【０００７】
さらに、前記楽曲選択型コンテンツ再生装置において、視聴者の楽曲の嗜好情報を記述した個人プロファイルを記憶する個人プロファイル記憶手段を備え、前記楽曲選択手段が、前記選択情報及び前記嗜好情報に基づいて前記楽曲を選択することとした。
【０００８】
この楽曲選択型コンテンツ再生装置によれば、楽曲選択手段は視聴者の好みを判断して視聴者の好みの楽曲を自動的に選択してＢＧＭとしてメインの音声、映像と共に再生することができる。
【０００９】
また、前記楽曲選択型コンテンツ再生装置において、視聴者の視聴履歴を記憶する視聴履歴記憶手段と、この視聴履歴記憶手段に記憶された視聴履歴に基づいて、前記個人プロファイルを更新する個人プロファイル更新手段、を備えることとした。
【００１０】
この楽曲選択型コンテンツ再生装置によれば、視聴者の楽曲視聴履歴から個人プロファイル情報を自動的に作成、更新して、この個人プロファイル情報で楽曲を選択するようにしているので、楽曲選択手段は視聴者の最新の好みにしたがって、メインの音声、映像と共にＢＧＭとして再生する楽曲を自動的に選択することができる。
【００１１】
また、前記楽曲選択型コンテンツ再生装置において、前記楽曲を提供する楽曲提供サーバから、通信回線を介して前記楽曲と、その楽曲の少なくとも固有の識別番号を有する楽曲情報とを受信して、前記楽曲蓄積手段に蓄積する楽曲受信制御手段、を備えることとした。
【００１２】
この楽曲選択型コンテンツ再生装置によれば、通信回線を介して楽曲提供サーバから楽曲の提供を受けて、その楽曲をメインの音声、映像と共に再生することができ、視聴者の好みの楽曲をＢＧＭに使用することができる。
【００１３】
また、前記楽曲選択型コンテンツ再生装置において、前記楽曲提供サーバから提供される前記楽曲情報には、前記楽曲を利用可能な有効期間を含んでおり、前記有効期間の時間経過を判定し、その有効期間を経過した楽曲の再生を禁止する有効期間判定手段、を備えることとした。
【００１４】
これによれば、楽曲提供サーバから提供される楽曲の利用期間を制限して楽曲提供を商業目的に利用することを可能にする。
【００１５】
そして、前記楽曲選択型コンテンツ再生装置において、前記選択情報及び前記楽曲情報は、楽曲の雰囲気や曲調を言語表現した曲調情報を含んでおり、前記楽曲選択手段が、前記曲調情報に基づいて、前記楽曲を選択するように構成した。
【００１６】
この楽曲選択型コンテンツ再生装置によれば、制作者の意図した雰囲気や曲調にあった楽曲をＢＧＭとして選んで再生することができる。
【００１７】
また、楽曲選択型コンテンツ再生装置は、映像及び音声を含んだ映像・音声コンテンツと、その映像・音声コンテンツに連動して再生される楽曲を選択するための選択情報及び前記楽曲の再生時刻情報を含む制御情報と、複数の楽曲と、を含んだ楽曲選択型コンテンツを再生する楽曲選択型コンテンツ再生装置であって、前記楽曲選択型コンテンツに含まれる前記選択情報に基づいて、前記映像・音声コンテンツに連動する前記楽曲を選択する楽曲選択手段と、前記映像・音声コンテンツを復号して映像信号及び音声信号とする映像・音声コンテンツ復号手段と、前記楽曲選択型コンテンツに含まれる前記再生時刻情報に基づいて、前記楽曲選択手段で選択した前記楽曲を復号して、前記音声信号と合成する音声合成手段と、を備えることとした。
【００１８】
この楽曲選択型コンテンツ再生装置によれば、映像・音声コンテンツに連動する楽曲をコンテンツに含まれた楽曲の中からあるいはその他の楽曲提供元から選択して、映像・音声コンテンツと共に再生時刻情報にあわせて復号し再生することができ、視聴者の好みの楽曲をＢＧＭとしてメインの音声と合成し、映像と共に再生することができる。
【００１９】
さらに、楽曲選択型コンテンツ再生方法は、映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生する楽曲選択型コンテンツ再生方法であって、前記映像・音声コンテンツを復号して映像信号及び音声信号とする映像・音声コンテンツ復号ステップと、視聴者の楽曲の嗜好情報を記述した個人プロファイルに記述された前記嗜好情報と、前記選択情報とに基づいて、複数の楽曲を蓄積した楽曲蓄積手段から視聴者の好みにあった楽曲を選択する楽曲選択ステップと、前記再生時刻情報に基づいて、前記楽曲選択ステップで選択された前記楽曲を復号して、前記映像・音声コンテンツ再生ステップで復号された前記音声信号と合成する音声合成ステップと、を含んでいることとした。
【００２０】
この楽曲選択型コンテンツ再生方法によれば、映像・音声コンテンツに連動する楽曲を視聴者の好みに応じて自動的に選択して、ＢＧＭとして映像・音声コンテンツと共に再生時刻情報にあわせて復号し再生することができ、視聴者の好みの楽曲をＢＧＭとしてメインの音声と合成し、映像と共に再生することができる。
【００２１】
さらに、本発明の楽曲選択型コンテンツ再生プログラムは、映像及び音声を含んだ映像・音声コンテンツと、その映像・音声コンテンツに連動して再生される楽曲を選択するための選択情報及び前記楽曲の再生時刻情報を含む制御情報と、を含んだ楽曲選択型コンテンツを再生するために、コンピュータを以下の各手段により機能させることとした。すなわち、各手段は、視聴者の楽曲の嗜好情報を記述した個人プロファイルに記述された前記嗜好情報と、前記選択情報とに基づいて、複数の楽曲を蓄積した楽曲蓄積手段から視聴者の好みにあった楽曲を選択する楽曲選択手段、前記映像・音声コンテンツを復号して映像信号及び音声信号とする映像・音声コンテンツ復号手段、前記再生時刻情報に基づいて、前記楽曲選択手段で選択された前記楽曲を復号して、前記映像・音声コンテンツ再生手段で再生された前記音声信号と合成する音声合成手段とした。
【００２２】
この楽曲選択型コンテンツ再生プログラムによれば、コンピュータに映像・音声コンテンツに連動する楽曲を選択して、映像・音声コンテンツと共に再生時刻情報にあわせて復号し再生させることができ、視聴者の好みの楽曲をＢＧＭとしてメインの音声と合成し、映像と共に再生させることが可能になる。
【００２３】
また、楽曲選択型コンテンツ生成方法において、映像及び音声を含んだ映像・音声コンテンツに、その映像・音声コンテンツに連動して再生される楽曲を選択するための選択情報と、前記楽曲の再生時刻情報とを付加することとした。
【００２４】
この楽曲選択型コンテンツ生成方法により、再生側で視聴者の好みにあった楽曲をＢＧＭとして選択して用いることが可能なコンテンツを実現することが出来る。
【００２５】
【発明の実施の形態】
以下、本発明の実施の形態について図面を参照して説明する。
【００２６】
（楽曲選択型コンテンツ提供システムの構成）
図１は、本発明の楽曲選択型コンテンツ再生装置を用いた楽曲選択型コンテンツ提供システムの構成を示すブロック図である。
【００２７】
図１の楽曲選択型コンテンツ提供システム１において、楽曲選択型コンテンツ再生装置１００は、放送局４００から放送されるデジタル放送を受信する受信機能を持ち、アンテナから入力された放送波ストリームである楽曲選択型コンテンツを多重分離して復号し、復号された映像や音声を映像音声出力装置１５０に送って映像、音声を再生させる再生機能を有している。さらに、楽曲選択型コンテンツ再生装置１００は、家庭内ネットワークＨ−ＮＥＴに接続されており、家庭内ネットワークＨ−ＮＥＴを介して通信を行う通信機能を有している。この家庭内ネットワークＨ−ＮＥＴは、電話回線、光ファイバー等を経由し、インターネットＮＥＴに接続されている。
【００２８】
ホームサーバ２００は、特許請求の範囲に記載した楽曲蓄積手段にあたり、視聴者が所有している楽曲を蓄積するものであり、家庭内ネットワークＨ−ＮＥＴに接続され、楽曲提供サーバ３００から提供される楽曲を蓄積するものである。このホームサーバ２００は、通信機能を備えており、楽曲提供サーバ３００以外にも、家庭内ネットワークＨ−ＮＥＴに接続された他の機器と通信を行ったり、家庭内ネットワークＨ−ＮＥＴ、インターネットＮＥＴを介してインターネットＮＥＴ上の複数のサーバと通信を行うことができるものである。
【００２９】
楽曲提供サーバ３００は、インターネットＮＥＴ上に設けられた楽曲を提供するサーバであり、楽曲選択型コンテンツ再生装置１００に対して、インターネットＮＥＴを介して、提供可能な楽曲のリストを提供し、楽曲選択型コンテンツ再生装置１００から楽曲の取得要求があった場合に、その楽曲のデータそのものを提供するものである。
【００３０】
放送局４００は、アンテナから直接地上波を利用して、あるいは、ＢＳ／ＣＳ衛星を経由して、放送番組をデータストリームとして放送するものである。
楽曲選択型コンテンツ提供システム１では、楽曲選択型コンテンツは放送局４００から放送波で提供されるだけでなく、視聴者がパッケージメディアとして店頭で購入することによっても提供を受けることも可能である。さらに、インターネットＮＥＴ上のコンテンツ提供サーバ５００からダウンロードによって提供を受けることも可能である。
【００３１】
コンテンツ提供サーバ５００は、インターネットＮＥＴ上に設けられた楽曲選択型コンテンツを含んだコンテンツを提供するサーバであり、楽曲選択型コンテンツ再生装置１００に対して、インターネットＮＥＴを介して、コンテンツを提供するものである。
【００３２】
課金管理センタ６００は、インターネットＮＥＴ上の楽曲提供サーバ３００から提供された楽曲の課金管理を行うものである。また、課金管理センター６００は、コンテンツ提供サーバ５００から提供を受けるコンテンツの課金管理を行うものでもある。
【００３３】
例えば、楽曲選択型コンテンツ再生装置１００が、楽曲選択型コンテンツを再生するときに、楽曲提供サーバ３００から提供され、ＢＧＭとして利用された楽曲は、ホームサーバ２００に蓄積され、楽曲選択型コンテンツの再生後も楽曲毎に予め設定された無料使用期間内は、視聴者が自由に視聴することとし、視聴者が課金管理センタ６００に対してインターネットＮＥＴを介して通信し、指定の金額を支払うことによって、初めて無料使用期間を越えて自由に楽曲を利用することが可能になる形態としてもよい。このように課金管理センタ６００は、視聴者と楽曲の著作権者との間の課金管理を担当する。また、同様にコンテンツそのものに対して課金管理を行うことも可能である。
【００３４】
（楽曲選択型コンテンツ再生装置の構成）
次に、図２を参照して（適宜図１参照）、楽曲選択型コンテンツ再生装置１００の構成について説明する。図２は楽曲選択型コンテンツ再生装置１００の構成を示すブロック図である。
【００３５】
図２に示すように、楽曲選択型コンテンツ再生装置１００は、主制御手段１０１と、受信制御手段１０２と、入力制御手段１０３と、出力制御手段１０４と、プログラム記憶手段１０５と、ＢＧＭ制御符号ファイル記憶手段１０６と、利用可能楽曲リスト記憶手段１０７と、個人プロファイル記憶手段１０８、視聴履歴記憶手段１０９と、コンテンツ復号手段１１０と、楽曲復号手段１１１と、音声合成手段１１２と、ユーザ操作制御手段１１３とを備える構成とした。
【００３６】
主制御手段１０１は、楽曲選択型コンテンツ再生装置１００の各手段の制御や各手段相互間でのデータの転送を行うものであり、ＣＰＵやメモリ等で構成されている。この主制御手段１０１は、楽曲受信制御手段１０１１、楽曲選択手段１０１２、個人プロファイル更新手段１０１３、楽曲一覧生成手段１０１４、有効期間判定手段１０１５及び視聴履歴更新手段１０１６を備えて構成している。
なお、主制御手段１０１の各手段は、プログラムとして、プログラム記憶手段１０５に記憶しておき、実行時に主制御手段１０１から読み出されて実行される。
【００３７】
ここで、楽曲受信制御手段１０１１は、インターネットＮＥＴ上に設けられた楽曲提供サーバ３００と通信して、ＢＧＭ制御符号ファイル記憶手段１０６の内容に基づいて、利用可能な曲で視聴者の好みに合う楽曲のリストをインターネットＮＥＴ上の楽曲提供サーバ３００にリクエストし、得られた利用可能楽曲リストを利用可能楽曲リスト記憶手段１０７に格納したり、また、家庭内ネットワークＨ−ＮＥＴに接続されたホームサーバ２００と通信してインターネットＮＥＴ上に設けられた楽曲提供サーバ３００から必要な楽曲の提供を受けるように指示する機能を有している。
【００３８】
また、楽曲選択手段１０１２は、家庭内ネットワークＨ−ＮＥＴ上のホームサーバ２００にある楽曲の中から目的の楽曲を選択して取得し、再生のために楽曲復号手段１１１に提供する機能を有している。
【００３９】
個人プロファイル更新手段１０１３は、視聴者の「好み」を判断する基となる個人プロファイルデータを作成して、個人プロファイル記憶手段１０８に記憶する機能を有している。個人プロファイルは、視聴履歴更新手段１０１６が、視聴履歴記憶手段１０９に記憶している視聴履歴を元に形成することができるが、視聴者自身に手動操作で好みのカテゴリーやアーティスト名を設定させることにより、作成することも可能である。
【００４０】
楽曲一覧生成手段１０１４は、楽曲受信制御手段１０１１が、インターネットＮＥＴ上の楽曲提供サーバ３００と通信して得られた利用可能楽曲リストを元に複数の楽曲提供サーバ３００にまたがる楽曲一覧リストを作成して、利用可能楽曲リスト記憶手段１０７に記憶する機能を有する。
【００４１】
有効期間判定手段１０１５は、利用可能楽曲リスト記憶手段１０７に記憶されている楽曲情報の有効期限をもとに楽曲の利用可能な有効期間経過を判定し、有効期間を過ぎた楽曲の再生を禁止する。さらに、無料視聴期間を過ぎた曲を表示して利用者がその曲を購入するかどうかの判断を仰ぐ機能も有している。
【００４２】
視聴履歴更新手段１０１６は、視聴者が過去にどの様な楽曲を何回視聴したかという、例えば楽曲別、アーティスト別の視聴回数などからなる視聴履歴情報を形成して、視聴履歴記憶手段１０９に記憶する機能を有している。このとき、過去の視聴回数だけに着目するのではなく、最近視聴した曲には重みを付けるなどの処理を加えて、視聴者の最新の「好み」を個人プロファイルに反映させることも可能である。
【００４３】
受信制御手段１０２は、楽曲選択型コンテンツ（データストリーム）を受信して、符号化映像（映像）、符号化音声（主音声）、符号化楽曲（ＢＧＭ）及びＢＧＭ制御ファイル（制御情報）に分離するものである。
ここで、図３を参照して楽曲選択型コンテンツ（データストリーム）の構成について説明する。図３（ａ）には従来のデータストリームの構成を、また、図３（ｂ）には本発明のデータストリームの構成を示している。
図３（ａ）に示すように、従来音声は、映像の各カット（Ｃｕｔ１〜Ｃｕｔ６）に対応するＢＧＭが、メインの音声（主音声）に合成された状態で提供されていた。このため、メインの音声とＢＧＭとを分離することはできず、視聴者がＢＧＭを自分の好みの楽曲に変更することは物理的に不可能であった。
【００４４】
これに対して、本発明では、コンテンツプロバイダから提供される楽曲選択型コンテンツは、図３（ｂ）に示すように、メインの音声とＢＧＭにそれぞれ分離された状態で映像音声出力装置１５０に提供できるようになっている。さらに、図３（ｂ）では、楽曲選択型コンテンツが、メインの音声以外に同一カットの同一時刻に複数のＢＧＭが提供されていることを示している。ここでは、放送局からのデータストリームとして制作者推奨の楽曲群Ａ、クラシック音楽からなる楽曲群Ｂ、ロック音楽からなる楽曲群Ｃの３種類のＢＧＭ楽曲群が提供された例を示している。さらに、ホームサーバ２００や楽曲提供サーバ３００から提供されるＢＧＭとして、ＢＧＭ１〜ＢＧＭ５も同様にＢＧＭとして使用可能となる。
なお、この図３には、ＢＧＭ制御ファイル（制御情報）を記述していないが、このＢＧＭ制御ファイルは、楽曲選択型コンテンツの先頭や、ＢＧＭを音声として出力する以前に提供される。
図２に戻って説明を続ける。
【００４５】
入力制御手段１０３及び出力制御手段１０４は、家庭内ネットワークＨ−ＮＥＴを介してホームサーバ２００と、また、家庭内ネットワークＨ−ＮＥＴ及びインターネットＮＥＴを介してインターネットＮＥＴ上の楽曲提供サーバ３００、コンテンツ提供サーバ５００又は課金管理センタ６００と、通信を行うものである。
プログラム記憶手段１０５は、プログラムを格納するための記憶手段でハードディスク等の一般的な記憶手段で構成されるものである。このプログラム記憶手段１０５に記憶されたプログラムは、主制御手段１０１によって読み出され実行される。
【００４６】
ＢＧＭ制御符号ファイル記憶手段１０６は、ＢＧＭ制御ファイルを一時的に記憶するものであり、一般的なメモリ等で構成されるものである。
ここで、図４を参照してＢＧＭ制御ファイルの内容について説明する。図４は、ＢＧＭ制御ファイルの一例を示したものである。
図４に示すように、ＢＧＭ制御ファイルは、ＢＧＭを識別するための識別番号（ＢＧＭ　Ｎｏ．）と、コンテンツ再生時におけるＢＧＭの開始時刻及びその開始方法と、ＢＧＭの終了時刻及びその終了方法と、そのＢＧＭの雰囲気や曲調を言語表現した曲調情報「表現」とを含んでいる。
【００４７】
例えば、ＢＧＭ　Ｎｏ．１のＢＧＭは、コンテンツ再生時の開始と同時に（００：００：００）にフェードインで再生を開始し、４分３０秒後（０４：３０：００）にフェードアウトで再生を終了し、ＢＧＭ　Ｎｏ２のＢＧＭは、コンテンツ再生から５分３０秒後（０５：３０：００）にカットインで再生を開始し、８分３０秒（０８：３０：００）においてカットアウトで再生を終了することを表している。また、このＢＧＭ制御ファイルには、フェードアウト等の再生効果を付与して再生を行う場合、どれだけの時間をかけてフェードアウトするかといった詳細な制御情報を含ませることも可能である。
なお、曲調情報「表現」の使用方法については後で説明を行う。
図２に戻って説明を続ける。
【００４８】
利用可能楽曲リスト記憶手段１０７は、利用可能な楽曲（ＢＧＭ）の一覧情報（楽曲一覧）を記憶するものであり、一般的なメモリ等で構成されるものである。この利用可能楽曲リスト記憶手段１０７は、楽曲受信制御手段１０１１が、ＢＧＭ制御ファイルの内容に基づいて、利用可能な曲で視聴者の好みに合う楽曲のリストをインターネットＮＥＴ上の楽曲提供サーバ３００にリクエストし、その結果である利用可能楽曲リストを格納するものである。
【００４９】
個人プロファイル記憶手段１０８は、視聴者の楽曲に対する嗜好情報を記述した個人プロファイルを記憶するものであり、一般的なメモリ等で構成されるものである。この個人ファイルは、例えば、視聴者が好むジャンル（カテゴリー）、アーティスト、あるいは複数のジャンル、アーティストの順位等を記述したものである。
【００５０】
視聴履歴記憶手段１０９は、視聴者が過去に視聴した楽曲の視聴履歴を記憶するものであり、一般的なメモリ等で構成されるものである。例えば、視聴者が視聴した楽曲そのものの視聴回数、楽曲のジャンル（カテゴリー）別の視聴回数、楽曲のアーティスト別の視聴回数等を記憶するものである。この視聴履歴記憶手段１０９は、視聴履歴更新手段１０１６によって更新される。
【００５１】
コンテンツ復号手段１１０（映像・音声コンテンツ復号手段）は、受信制御手段１０２で受信し、分離された符号化映像、符号化音声（主音声）、符号化楽曲（ＢＧＭ）及びＢＧＭ制御ファイルを復号するものである。このコンテンツ復号手段１１０は、符号化映像を復号し映像信号として、映像音声出力装置１５０へ出力する。また、符号化音声（主音声）及び符号化楽曲（ＢＧＭ）は、復号されて主音声信号及び楽曲音声信号として、音声合成手段１１２へ出力される。なお、受信制御手段１０２で受信し、分離されたＢＧＭ制御ファイルは、ＢＧＭ制御符号ファイル記憶手段１０６に記憶される。
【００５２】
楽曲復号手段１１１は、主制御手段１０１の楽曲選択手段１０１２によって選択され、ホームサーバ２００から取得した楽曲（ＢＧＭ）を復号して楽曲音声信号とするものである。この楽曲復号手段１１１で復号された楽曲音声信号は、音声合成手段１１２へ出力される。
【００５３】
音声合成手段１１２は、コンテンツ復号手段１１０で復号された主音声信号と、コンテンツ復号手段１１０で復号された楽曲音声信号又は楽曲復号手段１１１で復号された楽曲音声信号とを合成し、音声信号として映像音声出力装置１５０へ出力するものである。
この音声合成手段１１２は、楽曲音声信号として、コンテンツ復号手段１１０又は楽曲復号手段１１１のどちらの出力を使用するかは、主制御手段１０１の楽曲選択手段１０１２によって指示される。また、主制御手段１０１の指示に従って適切なミキシング量で音声合成を行う。
【００５４】
ユーザ操作制御手段１１３は、視聴者による楽曲選択モード変更、音量の切り替え、主音声とＢＧＭとの音バランス調整等の操作を制御するものである。この楽曲選択モードには、コンテンツプロバイダから提供されたＢＧＭをそのまま再生する通常モード、コンテンツプロバイダから提供されるデータストリーム内のＢＧＭのいずれかを選択するコンテンツ楽曲選択モード、視聴者独自のＢＧＭを選択して付与する楽曲自動選択モードがある。これらのモードに対する処理については後で説明を行う。
【００５５】
以上、一実施形態に基づいて、楽曲選択型コンテンツ再生装置１００の構成について説明したが、本発明はこれに限定されるものではない。例えば、楽曲選択型コンテンツ再生装置１００内に、楽曲提供サーバ３００から提供される楽曲を蓄積する楽曲蓄積手段を組み込んで構成してもよい。
また、楽曲選択型コンテンツ再生装置１００は、コンピュータにおいて各手段を各機能プログラムとして実現することも可能であり、各機能プログラムを結合して楽曲選択型コンテンツ再生プログラムとして動作させることも可能である。
【００５６】
（楽曲選択型コンテンツ再生装置の動作）
ここで、楽曲選択型コンテンツ再生装置１００の動作を図５のフローチャートに沿って説明する。
ステップＳ１０１で、視聴者がコンテンツプロバイダから提供された制作者推奨のＢＧＭを再生する通常モードを選んでいる場合（ＹＥＳ）には、楽曲選択手段１０１２はステップ１０２で自動的に制作者推奨の楽曲、図３（ｂ）の例では、楽曲群ＡがＢＧＭとして選択される。この場合、楽曲の再生手順はあらかじめ設定されているので、ステップＳ１０３でそれに従って、コンテンツの映像部分の再生に合わせるようにこの楽曲群を音声合成手段１１２で主音声と合成し、ステップＳ１０４で映像音声を映像音声出力装置１５０で再生する。
【００５７】
図３（ｂ）と図４の例では、コンテンツ視聴開始時点直後から、ＢＧＭ　Ｎｏ．１の曲（ＢＧＭ１Ａ）をフェードインで再生し始め、コンテンツ視聴開始時点から４分３０秒後にフェードアウトでこの曲の再生を終える。続いて、コンテンツ視聴開始時点から５分３０秒後にＢＧＭ　Ｎｏ．２の曲（ＢＧＭ２Ａ）をカットインで再生しはじめ、コンテンツ視聴開始時点から８分３０秒後にカットアウトで再生を終了する。この様に、各ＢＧＭの楽曲を、メインの音声とリアルタイムでミックしながら、コンテンツを視聴者に対して提示することにより、視聴者は通常モードで従来の場合と全く同様にコンテンツを視聴することができる。
【００５８】
ステップＳ１０１で、視聴者が通常モードを選ばず（Ｓ１０１でＮｏ）、ステップＳ１０５で、視聴者がコンテンツプロバイダから提供されるデータストリーム内のＢＧＭのいずれかを選択するコンテンツ楽曲選択モードを選んでいる場合（Ｓ１０５でＹＥＳ）や、ステップＳ１０５で視聴者が視聴者独自のＢＧＭを選択付与する楽曲自動選択モードを選択しているが、ステップＳ１０７で楽曲選択型コンテンツ再生装置１００が家庭内ネットワークＨ−ＮＥＴを介してホームサーバ２００や楽曲提供サーバ３００と通信することができない場合（Ｓ１０７でＮｏ）は、ステップＳ１０６でコンテンツプロバイダから提供されるデータストリーム内の楽曲のいずれかをＢＧＭとして選択する。この場合、視聴者の個人プロファイルによって、例えば、視聴者がクラシック音楽を好むことが分かっている場合には、図２および図３において、自動的に楽曲復号手段１１１で楽曲群Ａの代わりにクラシック曲からなる楽曲群ＢをＢＧＭとして選び、ステップＳ１０３で主音声と音声合成手段１１２で合成し、ステップＳ１０４で映像音声を映像音声出力装置１５０で再生する。
【００５９】
視聴者が視聴者独自のＢＧＭを選択付与する楽曲自動選択モードを選択している場合（Ｓ１０５でＮｏ）は、ステップＳ１０７において、主制御手段１０１の楽曲受信制御手段１０１１が、入力制御手段１０３、出力制御手段１０４および家庭内ネットワークＨ−ＮＥＴを介してホームサーバ２００と通信可能かどうかを確かめる。そして、家庭内ネットワークＨ−ＮＥＴと通信可能であって、ほかの制約がない場合（Ｓ１０７でＹＥＳ）には、ステップＳ１０８において、一旦受信制御手段１０２が、楽曲選択型コンテンツを受信し、コンテンツ復号手段１１０で復号してから、ＢＧＭ制御ファイルをＢＧＭ制御符号ファイル記憶手段１０６に記憶する。さらに、ステップＳ１０９で、インターネットＮＥＴを介して楽曲提供サーバ３００と通信可能かどうかを確かめる。
【００６０】
そして、楽曲提供サーバ３００とも通信可能な場合は、ステップＳ１１０において、主制御手段１０１の楽曲選択手段１０１２が、ＢＧＭ制御符号ファイル記憶手段１０６に記憶されたＢＧＭ制御ファイル（図４参照）を元にして、用いられるべき曲の曲調情報「表現」を参照する。さらに、楽曲選択手段１０１２は、コンテンツプロバイダからコンテンツと共に提供されたＢＧＭ楽曲、ホームサーバ２００内に記憶されている楽曲、および、楽曲提供サーバ３００から提供され利用可能楽曲リスト記憶手段１０７に記憶されている利用可能楽曲リスト内の楽曲の中から、曲調情報に合い最も「視聴者の好み」に合う楽曲をＢＧＭに利用する楽曲として選ぶ。ここで「視聴者の好み」は、主制御手段１０１の個人プロファイル更新手段１０１３が、視聴者が過去に視聴した楽曲の視聴履歴から、どの様なジャンルの楽曲を視聴者が聞いているか、どの様なアーティストの楽曲を視聴者が聞いているかを集計し、これを視聴者の最新の個人プロファイルとして個人プロファイル記憶手段１０８に保持したデータで決められ、このデータを基に楽曲の選択の判断が行われる。
【００６１】
ステップＳ１１０で、インターネットＮＥＴ上の楽曲提供サーバ３００から提供されるＢＧＭとして利用可能な楽曲から視聴者の好みに合致する楽曲を選択し用いる場合、主制御手段１０１の楽曲受信制御手段１０１１は、ステップＳ１１１において、出力制御手段１０４、家庭内ネットワークＨ−ＮＥＴ、インターネットＮＥＴを介してホームサーバ２００、楽曲提供サーバ３００と通信し、インターネットＮＥＴ、家庭内ネットワークＨ−ＮＥＴ、入力制御手段１０３を経て楽曲提供サーバ３００から送られる楽曲データを、一旦、ホームサーバ２００に取り込んで記憶させる。
そして、ステップＳ１１３で、コンテンツ復号手段１１０でのコンテンツの復号再生の進行に伴い、図４に示すようなＢＧＭ制御符号ファイルの情報に基づいて楽曲データの開始終了時刻をあわせ、場合によってはフェードイン、フェードアウト等の再生効果を加えながら加工処理して、楽曲復号手段１１１で復号し、ステップＳ１０３でメインの音声と音声合成手段１１２で合成して音声信号として映像音声出力装置１５０に出力し、ステップＳ１０４で映像音声出力装置１５０で再生する。
【００６２】
ステップＳ１１０で、ホームサーバ２００内に蓄積されている視聴者が所有している楽曲の中から、ＢＧＭ制御符号ファイルの曲調情報に合いＢＧＭとして利用可能で視聴者の好みに合致する楽曲を選択し再生する場合は、ステップＳ１１２において、主制御手段１０１の楽曲選択手段１０１２が、出力制御手段１０４を経て家庭内ネットワークＨ−ＮＥＴを介してホームサーバ２００と通信して楽曲を選択し、家庭内ネットワークＨ−ＮＥＴを介して入力制御手段１０３を経てホームサーバ２００から送られる楽曲データを入手する。そして、ステップＳ１１３に進んで、開始終了時刻をあわせ、再生効果を加えながら加工処理して、楽曲復号手段１１１で復号し、ステップＳ１０３で主音声と音声合成手段１１２で合成し、ステップＳ１０４で映像音声出力装置１５０で再生する。
【００６３】
視聴者が視聴者独自のＢＧＭを選択付与する楽曲自動選択モードを選択しているが、ステップＳ１０７で、何らかの理由で主制御手段１０１の楽曲受信制御手段１０１１が家庭内ネットワークＨ−ＮＥＴを介してホームサーバ２００と通信ができない場合（Ｓ１０７でＮｏ）は、ステップＳ１０６に進んで、以降、コンテンツ内楽曲選択モード時と同様の処理をおこなう。また、ステップＳ１１０で、コンテンツ内の楽曲の中から楽曲を選択した場合もステップＳ１０６に進んで同様の処理をおこなう。
また、ステップＳ１０９で、何らかの理由で主制御手段１０１の楽曲受信制御手段１０１１が家庭内ネットワークＨ−ＮＥＴおよびインターネットＮＥＴを介して楽曲提供サーバ３００と通信できない場合（Ｓ１０９でＮｏ）は、ステップＳ１１２に進んで、以降、ホームサーバ２００内に蓄積されている楽曲の中から選択する場合と同様の処理をおこなう。
【００６４】
ステップＳ１１０で、インターネットＮＥＴ上の楽曲提供サーバ３００から提供される楽曲を用いる場合には、主制御手段１０１の楽曲受信制御手段１０１１は、楽曲提供サーバ３００にあらかじめリクエストして、楽曲データをＢＧＭとして利用する前に取得してホームサーバ２００内に蓄積しておく。この様な処理の結果、ＢＧＭとして利用できるすべての楽曲は楽曲選択型コンテンツ再生装置１００とホームサーバ２００内に一時的に蓄積され、何時でも再生が可能になる。主制御手段１０１は、コンテンツの進行に伴い、図４に示すＢＧＭ制御符号ファイルの情報に基づいて、選択した楽曲を順次、場合に応じてフェードイン、フェードアウト等の再生効果を加えながら再生する。これにより、視聴者に対して視聴者の好みの楽曲がＢＧＭとして用いられたコンテンツを再生提示することが可能になる。
なお、楽曲提供サーバ３００から提供されるものに関しては、楽曲データを利用する前にあらかじめ取得して蓄積しておくように説明したが、ＢＧＭとして再生するタイミングの直前までに取得できればそれでも良く、また、通常はＢＧＭの再生に多少の遅れがあってもさほど問題にならない場合が多いので、コンテンツの再生途中に取得しながら再生することも不可能ではない。
【００６５】
次に、視聴者の「好み」を判断する基となる個人プロファイルの作成方法について説明する。図６は、主制御手段１０１の視聴履歴更新手段１０１６が個人プロファイルデータを作成する上での基準になる視聴者の過去の楽曲視聴履歴の一例を示したものである。図６において、２列目の「表現」とは、視聴された各楽曲がどの様な雰囲気を持っているかを示している。本システムでは、この「表現」と言う項目に示された内容により、どの様なシーンでこの楽曲がＢＧＭに利用可能かを判断する。この「表現」項目の表示内容は楽曲を提供する楽曲販売会社から提供されたり、視聴者自身によって設定したりすることを前提とする。さらに、カテゴリーの大きな分類を示す「カテゴリー大」、カテゴリーの詳細を示す「カテゴリー小」などの情報についても、楽曲を提供する楽曲販売会社から提供されることを前提としている。
【００６６】
図６に示すように、楽曲視聴履歴には、視聴者が過去にどの様な楽曲を何回視聴したかという、視聴履歴情報が含まれている。この視聴履歴情報は、視聴者が所有している楽曲について、その時点までの視聴履歴（例えば楽曲別、アーティスト別の視聴回数）が記録された情報である。この視聴履歴から、図７に示すように、個人プロファイルを作成する。この個人プロファイルでは、楽曲視聴履歴や、また、アーティスト視聴履歴などを参照して作成される。また、過去の視聴履歴だけでなく、視聴者自身に手動操作で好みのカテゴリーやアーティスト名を設定させることにより、個人プロファイルデータを調整することも可能である。
【００６７】
この様な個人プロファイルデータに基づいて、主制御手段１０１の楽曲選択手段１０１２は、楽曲の選択に当たり、コンテンツプロバイダから提供されるデータストリーム内の楽曲、ホームサーバ２００内に視聴者が所有している楽曲およびインターネットＮＥＴ上の楽曲提供サーバ３００から提供される楽曲の中から、視聴者の「好み」と合致し、かつ、コンテンツ内の各シーンの雰囲気を演出する上でＢＧＭとして適切な「表現」に該当する楽曲を選択する。なお、楽曲選択の際には、各楽曲を選択する長さも考慮されなければならず、ＢＧＭ制御符号ファイルの内容に従い、そのシーンのＢＧＭとして十分な楽曲長を持った楽曲が選択される。
【００６８】
次に、インターネットＮＥＴ上の楽曲提供サーバ３００から提供される利用可能な楽曲リストの内容と、視聴者による楽曲購入の際の操作について説明する。図８は、主制御手段１０１の楽曲受信制御手段１０１１からのリクエストにより、インターネットＮＥＴ上の楽曲提供サーバ３００から提供される利用可能な楽曲リストを楽曲一覧生成手段１０１４が編集した一覧リストの一例である。この例は、主制御手段１０１の楽曲選択手段１０１２が、「楽しい」雰囲気のシーンのために、「楽しい」雰囲気を持つ曲で、かつ、視聴者の好みのカテゴリーに属する楽曲、または、視聴者の好みのアーティストによる楽曲のリストを楽曲提供サーバ３００にリクエストした結果、楽曲提供サーバ３００から提供された利用可能な楽曲の一覧リストの例である。
【００６９】
楽曲の選択時には、主制御手段１０１の楽曲選択手段１０１２は、リスト内の楽曲およびホームサーバ２００内の視聴者が所有する楽曲の中から、視聴者の「好み」に最も合致した楽曲をＢＧＭとして選択する。選択された楽曲の内、楽曲提供サーバ３００から提供されるものに関しては、主制御手段１０１の楽曲受信制御手段１０１１は、楽曲提供サーバ３００に予めリクエストして、楽曲データ自体を、ＢＧＭとして再生するタイミングよりも前に予め取得して蓄積しておく。選択された楽曲は、コンテンツ視聴中に的確なタイミングでＢＧＭとして再生される。
【００７０】
楽曲提供サーバ３００から提供され、ＢＧＭとして利用された楽曲については、視聴者はコンテンツ視聴終了後も、単独の楽曲として無料視聴期間の間は自由に視聴して楽しむことが可能である。そうして、無料視聴期間終了後は有効期間判定手段１０１５の働きによって再生が自動的に停止される。有効期間判定手段１０１５は、無料視聴期間終了が間近い曲や無料視聴期間が終了した曲をリスト表示して視聴者に知らせる役割をもはたしている。視聴者がＢＧＭとして再生された楽曲が気に入って視聴する権利を購入したいと考えた場合は、インターネットＮＥＴを介してオンライン購入することが可能である。この際に、楽曲の価格と購入の際に連絡すべき課金管理センタのＵＲＬ（Ｕｎｉｆｏｒｍ　Ｒｅｓｏｕｒｃｅ　Ｌｏｃａｔｏｒ：ｗｅｂ上の場所を指定する表記）は、図８に示すように、利用可能楽曲のリストの中に情報として含まれている。これにより、本システムはＢＧＭの提供と共に楽曲販売機能をも有することになる。
【００７１】
以上、主として本発明の楽曲選択型コンテンツ再生装置について説明したが、本装置で実行される楽曲選択付与方法、またＣＰＵにこの楽曲選択付与方法を実現させる楽曲選択付与プログラムおよび本発明の楽曲選択型コンテンツの生成方法も本発明の対象とするものである。
【００７２】
【発明の効果】
以上説明したように本発明の請求項１の楽曲選択型コンテンツ再生装置では、映像・音声コンテンツに連動する楽曲を選択して、映像・音声コンテンツと共に再生時刻情報にあわせて復号し再生することができ、種々の楽曲をＢＧＭとしてメインの音声と合成し、映像と共に再生することができる。
【００７３】
本発明の請求項２の楽曲選択型コンテンツ再生装置では、楽曲選択手段は視聴者個人の嗜好情報を個人プロファイルとして記憶しておくので、これを元に視聴者の好みを判断して視聴者の好みの楽曲を自動的に選択してＢＧＭとしてメインの音声、映像と共に再生することができる。
【００７４】
本発明の請求項３の楽曲選択型コンテンツ再生装置では、視聴者の楽曲視聴履歴から個人プロファイル情報を自動的に作成、更新して、この個人プロファイル情報で楽曲を選択するようにしているので、選択手段は視聴者の最新の好みにしたがって、メインの音声、映像と共にＢＧＭとして再生する楽曲を自動的に選択することができる。
【００７５】
本発明の請求項４の楽曲選択型コンテンツ再生装置では、通信回線を介して楽曲提供サーバから楽曲の提供を受けて、その楽曲をメインの音声、映像と共に再生することができ、複数の提供元からの多くの楽曲から適切な視聴者の好みの楽曲をＢＧＭに使用することができる。
【００７６】
本発明の請求項５の楽曲選択型コンテンツ再生装置では、楽曲の無料で利用可能な期間を有限にすることで、無制限な利用を押さえ、楽曲配布を商業的に利用可能にすることができる。
【００７７】
本発明の請求項６の楽曲選択型コンテンツ再生装置では、選択情報や楽曲情報に楽曲の雰囲気や曲調を表す情報を含めたので、制作者の意図した雰囲気や曲調に合った楽曲を選んで、ＢＧＭとして用いることができる。
【００７８】
本発明の請求項７の楽曲選択型コンテンツ再生装置では、映像・音声コンテンツに連動する楽曲をコンテンツに含まれた楽曲の中からあるいはその他の楽曲提供元からの楽曲から幅広く選択して、映像・音声コンテンツと共に再生時刻情報にあわせて復号し再生することができ、視聴者の好みの楽曲をＢＧＭとしてメインの音声と合成し、映像と共に再生することができる。また、通信系に不具合がある時でも複数の楽曲からＢＧＭを選ぶことができる。
【００７９】
本発明の請求項８の楽曲選択型コンテンツ再生方法によれば、コンテンツに含まれる映像と主音声とに連動して再生される楽曲を視聴者の好みに合わせて自動的に選択することができるので、視聴者の好みに合わせて選んだ楽曲をＢＧＭとして映像とともに視聴することができる。
【００８０】
本発明の請求項９の楽曲選択型コンテンツ再生プログラムによれば、コンピュータに、映像・音声コンテンツに連動する楽曲を視聴者の好みに合わせて選択して、映像・音声コンテンツと共に再生時刻情報にあわせて復号し再生させることができ、視聴者の好みの楽曲をＢＧＭとして映像とともに視聴することができる。
【００８１】
本発明の請求項１０の楽曲選択型コンテンツ生成方法によれば、コンテンツに楽曲を選択するための選択情報と、再生時刻情報とを含めたので、楽曲をＢＧＭとして映像とともに視聴するための手がかりが容易に得られる。
【図面の簡単な説明】
【図１】本発明の楽曲選択型コンテンツ再生装置が用いられる楽曲選択付与システムの構成図である。
【図２】本発明の楽曲選択型コンテンツ再生装置の構成を示すブロック図である。
【図３】コンテンツのデータストリームの構成を示す構成図である。
【図４】本発明のＢＧＭ制御符号ファイルの情報の一例を示す図表である。
【図５】本発明の楽曲選択型コンテンツ再生装置の動作を示すフローチャートである。
【図６】視聴者の過去の楽曲視聴履歴の内容の一例を示す図表である。
【図７】個人プロファイルの一例を示す説明図である。
【図８】楽曲提供サーバから提供される利用可能な楽曲一覧リストの一例を示す図表である。
【符号の説明】
１００　　楽曲選択型コンテンツ再生装置
１０１　　主制御手段
１０２　　受信制御手段
１０３　　入力制御手段
１０４　　出力制御手段
１０５　　プログラム記憶手段
１０６　　ＢＧＭ制御符号ファイル記憶手段
１０７　　利用可能楽曲リスト記憶手段
１０８　　個人プロファイル記憶手段
１０９　　視聴履歴記憶手段
１１０　　コンテンツ復号手段
１１１　　楽曲復号手段
１１２　　音声合成手段
１１３　　ユーザ操作制御手段
１５０　　映像音声出力装置
２００　　ホームサーバ
３００　　楽曲提供サーバ
４００　　放送局
５００　　コンテンツ提供サーバ
６００　　課金管理センタ
１０１１　　楽曲受信制御手段
１０１２　　楽曲選択手段
１０１３　　個人プロファイル更新手段
１０１４　　楽曲一覧生成手段
１０１５　　有効期間判定手段
１０１６　　視聴履歴更新手段
ＮＥＴ　　インターネット
Ｈ−ＮＥＴ　　家庭内ネットワーク
【図１】
2004029324.tif 000003
【図２】
2004029324.tif 000004
【図３】
2004029324.tif 000005
【図４】
2004029324.tif 000006
【図５】
2004029324.tif 000007
【図６】
2004029324.tif 000008
【図７】
2004029324.tif 000009
【図８】
2004029324.tif 000010